【事件の表示】
　平成　９年特許願第２７７４４２号「自動販売機」拒絶査定不服審判事件〔平成１１年　４月３０日出願公開、特開平１１−１２０４２１〕について、次のとおり審決する。
【結　論】
　本件審判の請求は、成り立たない。
【理　由】
１　手続の経緯及び本願発明
　本件審判請求に係る出願は、平成９年１０月９日の出願であって、平成１７年１１月２９日付けで拒絶査定（発送日：同年１２月６日）がなされたところ、平成１８年１月５日に拒絶査定不服審判が請求されたものである。
　その後、当審において拒絶の理由を通知し、これに対して、平成１８年９月７日付けで意見書及び手続補正書が提出されたため、本願の特許請求の範囲の請求項１に係る発明は、同日付補正書により補正された特許請求の範囲の請求項１に記載された次のとおりのものである（以下、「本願発明」という。）。
　「前面の扉の開閉状況を検知する扉スイッチ部(＃６)と、扉スイッチ部(＃６)からの開信号に基づき扉の開回数をカウントする扉開回数記憶部(＃３)と、時刻を計時する時計部(＃２)と、前記開信号が発生した時刻を、最新の所定回数分記憶する扉開時間記憶部(＃４)と、数値を表示する表示部(＃７)と、扉開時間記憶部(＃４)で記憶した時刻のデータを表示部(＃７)に表示させる表示スイッチ部(＃１０)とを備え、前記扉回数記憶部(＃３)にてカウントが設定回数以上となると、前記扉開時間記憶部(＃４)の古いデータを削除することを特徴とする自動販売機。」
　
２　引用例に記載された事項
　(１)当審における拒絶の理由に引用した特開平３−４６０８７号公報（以下、「引用例１」と言う。）には、次の事項が図面（特に第１、３、５、７図参照）と共に記載されている。
　Ａ．「複数の金種の現金を一括収納し、入出金装置に対して着脱可能なものであって、
　収納される前記現金の出入れのための、扉の開閉を検知する扉開閉検知部と、
　現在時刻を計時して、前記扉開閉検知部の出力に基づいて、前記扉の開放時と閉鎖時の時刻を示す開閉時刻データを生成する計時部と、
　前記扉を開放して現金の出入れをした場合に、出入れ作業の内容を示す出入れ作業データを入力するデータ入力部と、
　前記データ入力部から入力された作業データと、当該出入れ作業のための前記扉の開放時と閉鎖時に生成された開閉時刻データとを格納する収納庫管理メモリとを備えたことを特徴とする現金入出金装置の一括収納庫。」（特許請求の範囲）
　Ｂ．「本発明は以上の点に着目してなされたもので、−括収納庫の取扱い履歴を明確化することのできる現金入出金装置の一括収納庫を提供することを目的とするものである。」（２頁左下欄３〜６行）
　Ｃ．「収納庫管理メモリを用いて、過去に、−括収納庫がどのように取扱われたかを詳細に解析することができ、不正な行為等を防止することができる。」（２頁右下欄１１〜１４行）
　Ｄ．「〈装置の構成〉
　第１図は、本発明の一括収納庫の実施例ブロック図である。
　図のように、一括収納庫１１には、その前面に扉１１ａが設けられており、背面に制御部１１ｂが設けられている。扉は、カギｌｌｃを解錠し、取っ手ｌ１ｄを引いて開閉する。制御部１１ｂは、マイクロプロセッサ等から成る一括収納庫制御部１０と、これに動作を制御される各回路から成る。即ち、図に示すように、モータ群９６と、スイッチ群９７と、フォトセンサ９８と、収納用管理メモリ９９と、データ入力部１１１と、計時部１１４と、扉開放検知部１１５と、電波１１７とが設けられている。
　データ入力部１１１は、液晶等から成るデイスプレイ１１２とキーボード１１３とから成る。…(略)…。計時部１１４は、現在時刻を計時する時計等から構成される。
　扉開閉検知部１１５は、扉１１ａの開閉を検知するセンサ１１６の出力信号を受入れて、扉の開放時と閉鎖時に、開放か閉鎖かを識別する回路である。また、この扉開閉検知部１１５は、計時部１１４の出力データを読取り、扉の開放じと閉鎖時の時刻を示す開閉時刻データを、収納庫管理メモリ９９に向けて出力するよう制御する回路である。
　この扉開閉検知部１１５は、例えば、一括収納庫部１１０の一部により構成される。」（２頁右下欄１８行〜３頁右上欄８行）
　Ｅ．「〈収納庫管理メモリ〉
　第３図に、第１図に示した収納庫管理メモリ９９の構成の説明図を示す。
　この収納庫管理メモリ９９には、先に説明した開閉時刻データ９９１と作業データ９９２とが格納される。また、この他に、一括収納庫１１に収納された現金の額や金種に関わる各種の管理データがこの収納庫管理メモリ９９に格納される。尚、第３図には、扉開閉に関する管理データのみを図示した。
　このデータは、具体的には、開放時刻９９４と、閉鎖時刻９９５と、係員コード９９６と、オペレーションコード９９７と、金種別データ９９８とから成る一群のデータで構成される。
　即ち、ある係員がある時刻に扉を開放すると、その開放時刻９９４が収納庫管理メモリに書込まれる。そして、次に、その係員が係員コード９９６を入力し、オペレーションコード９９７を入力する。
　このオペレーションコード９９７とは、…(略)…。その後扉が閉鎖されると、閉鎖時刻９９５が格納される。
　この開閉時刻データ９９１と作業データ９９２を１組としたデータが、現金の出入れ作業の都度、収納庫管理メモリに格納される。
　収納庫管理メモリには、例えば、１００回分の出入れ作業に関するデータが格納されるようになっており、古い順にデータが格納されていく。従って、例えば１００回分のデータが既に格納されている場合には、最も古いデータが新しいデータに置換えられる。この書込み開始位置を示すために、書込み開始ポインタ９９３が設定される。
　収納庫管理メモリの内容を読出す場合には、最も新しく書込まれたデータから過去に先のぼって、順にデータを読出していくようにする。こうすれば、各出入れ作業が、いつ、誰によって、どのように行なわれたかを明確化することができる。また、扉が不正に開閉された場合には、作業データが入力されていないため、その場合の開閉時刻データ９９に基づいて、責任の所在を明確にすることができる。」（３頁右上欄９行〜右下欄１４行）
　Ｆ．「〈一括収納庫の動作〉
　…(略)…
　先ず始めに、第１図に示した一括収納庫１１の扉１１ａが開かれると（ステップＳ１）、これがセンサ１１６により検知され、扉開閉検知部１１５は、収納庫管理メモリ９９に対し扉が開かれた時刻を転送し、第３図に示した開放時刻９９４が格納される（ステップＳ２）。…(略)…。そして、係員により扉が閉じられると（ステップ５１３）、その扉を閉めた時刻が収納庫管理メモリ９９に記憶される（ステップ５１４）。」（４頁左上欄１９行〜右下欄４行）
　Ｇ．「このような動作は、一括収納庫を現金入出金装置から取出した状態で実行される。」（５頁左下欄１１〜１５行）
　
　(２)同じく引用した特開平５−６２０５０号公報（以下、「引用例２」と言う。）には、次の事項が図面と共に記載されている。
　Ｈ．「現金収納箱２の制御部２３０は、着脱検出部２３２の検出信号を監視し、脱却信号（オフ信号）を検出すると、現金収納箱２の脱却と判定し、カレンダタイマ２３４からその月日、時刻を読み出す。
  (2)制御部２３０は、脱却情報（脱却コード等）と、読み出した月日、時刻をメモリ２３１に格納する。」（【００３４】〜【００３５】３行：（）数字は、公報においては丸数字である。）
　Ｉ．「このメモリ３１１の読み出しは、自動取引装置３のメインテナンス操作部３１又は顧客操作部３２の入力部より行い、ディスプレイに表示したり、ジャーナルに印字してもよい。」（【００４９】３〜６行）
　Ｊ．「(2)現金取扱装置を、自動取引装置を例に説明したが、自動販売機等の他の現金を取り扱う装置に適用してもよい。
　(3)図４の金属扉２５と、リジェクト扉２４の開閉を検出し、その開閉情報と開閉時刻をメモリに格納しておいてもよく、このようにすると、現金の不正抜き取りを検出でき、その犯罪の証拠をとることができる。」（【００６０】：（）数字は、公報においては丸数字である。）
　
　(３)同じく引用した特開平８−１０１９５７号公報（以下、「引用例３」と言う。）には、自動販売機に関して、次の事項が図面と共に記載されている。
　Ｋ．「図２の（ａ）及び（ｂ）は第１実施例の要旨に係わる部分のマイクロコンピュータ２２の制御内容を示すフローチャートである。このうち、（ａ）は、メイン扉２が開放された回数を検出するためのメインルーチンであり、」（【００３６】１〜５行）
　Ｌ．「従って、この（ａ）のフローチャートにおいて、メイン扉２が開放されるごとに回数カウンタのカウントが１づつプラスされることにより、メイン扉２の開放回数を検出することができる。」（【００３９】）
　
　(４)同じく引用した実願平３−１１１８９５号（実開平５−５５２７７号）のＣＤ−ＲＯＭ（以下、「引用例４」と言う。）には、自動販売機に関して、次の事項が図面と共に記載されている。
　Ｍ．「図３は、この考案の一実施例における前扉１５の外観を示す正面図であり、前述した従来例とはデータ読出用スイッチ３１が設けられている点のみが異なっている。」（【０００９】３〜５行）
　Ｎ．「係員がデータ読出用スイッチ３１と呼出ボタン１０とを同時に押すと、ＣＰＵ３６はこれらのスイッチ信号を検知して、データ読出し処理に移る。すなわち、売上データエリア３７ｄ内の全売上データを読出し、これを合計して表示器６に表示させる。」（【００１４】１〜４行）
　
３　引用例１に記載された発明
　上記摘記事項Ａ、Ｄ、Ｅ等からみて、引用例１には、次のような発明が記載されている（以下、「引用例１記載の発明」という。）。
　前面の扉の開閉を検知する扉開閉検知部と、
　現在時刻を計時して、前記扉開閉検知部の出力に基づいて、前記扉の開放時と閉鎖時の時刻を示す開閉時刻データを生成する計時部と、
　前記扉の開放時と閉鎖時に生成された開閉時刻データを最新の所定回数分格納する収納庫管理メモリと、
　入力データを表示するディスプレイとを備え、
　収納庫管理メモリに所定回数分のデータが格納されている場合には、最も古いデータが新しいデータに置換えられる、現金入出金装置の一括収納庫。
　
４　対比
　本願発明と引用例１記載の発明とを対比する。
　引用例１記載の発明である「現金入出金装置の一括収納庫」と本願発明である「自動販売機」とは、どちらも現金を取り扱う装置である点で共通するものである。
　本願発明と引用例１記載の発明とは、「自動販売機」、「現金入出金装置の一括収納庫」という具体的な装置としての相違（この点は相違点１として検討する。）はあるものの、扉開閉の履歴管理のための構成に関して、引用例１記載の発明の「扉開閉検知部」、「計時部」、「収納庫管理メモリ」は、その作用等からみて、本願発明の「扉スイッチ部」、「時計部」、「扉開時間記憶部」に、それぞれ相当するものである。
　又、本願発明の「表示部」と引用例１記載の発明の「ディスプレイ」とは、出力データと入力データとの違いはある（この点は相違点３として検討する）ものの、どちらも数値を表示する点で共通するものである。
　以上の点からみて、本願発明と引用例１記載の発明とは、次の一致点、相違点を有するものと認められる。
［一致点］
　前面の扉の開閉状況を検知する扉スイッチ部と、時刻を計時する時計部と、前記開信号が発生した時刻を、最新の所定回数分記憶する扉開時間記憶部と、数値を表示する表示部と、を備えたことを特徴とする現金を取り扱う装置。
［相違点１］
　現金を取り扱う装置が、本願発明では「自動販売機」であるのに対して、引用例１記載の発明では「現金入出金装置の一括収納庫」である点。
［相違点２］
　本願発明が、扉の開回数をカウントする扉開回数記憶部を備えているのに対して、引用例１記載の発明では、扉開回数記憶部について明記されていない点。
［相違点３］
　表示部が、本願発明では、扉開時間記憶部で記憶した時刻を表示するものであるのに対して、引用例１記載の発明では、係員が入力した係員コード等を表示するものである点。
［相違点４］
　本願発明が、時刻のデータを表示部に表示させる表示スイッチ部を備えているのに対して、引用例１記載の発明では、表示スイッチ部について明記されていない点。
［相違点５］
　本願発明が、扉回数記憶部にてカウントが設定回数以上となると、扉開時間記憶部の古いデータを削除するのに対して、引用例１記載の発明では、所定回数のデータが格納されている場合には最も古いデータが新しいデータに置換えられる点。
　
５　判断
　上記各[相違点]について検討する。
［相違点１］について
　上記引用例２には、引用例１記載の発明と同様な「現金取扱装置」において、不正行為を防止することを目的として、現金収納庫の脱着時刻をメモリに記憶させ、表示部に表示させるという、現金収納庫脱着の履歴の管理・表示に関する発明が記載されており、更に摘記事項Ｊのとおり、該発明における現金収納庫の脱着時刻の検出は、扉の開閉時刻の検出でもよいこと、該発明は自動販売機にも適用できることが記載されている。
　してみると、引用例１記載の現金入出金装置の一括収納庫に関する発明は、同様に現金を取り扱う装置である自動販売機に適用できることは明らかであるから、引用例１記載の一括収納庫の扉開閉に関する発明を、自動販売機の開閉扉に適用して、本願発明の構成とすることに、格別の困難性は認められない。
　
［相違点２］について
　上記引用例３には、自動販売機の扉の開閉について「メイン扉２が開放されるごとに回数カウンタのカウントが１づつプラスされることにより、メイン扉２の開放回数を検出することができる。」（摘記事項Ｌ参照）と記載されており、この記載からみて、カウントされた開閉回数は記憶部に記憶されることは明らかである。
　即ち、自動販売機において、扉の開閉回数をカウントし記憶する記憶部（扉開回数記憶部）を設けることは公知の技術手段であり、又、引用例１記載の発明も所定回数分の扉開閉時刻データを格納するものであるから、引用例１記載の発明を自動販売機に適用するに際し、扉開回数記憶部を設けることは、当業者が容易に想到し得ることと認められる。
　
［相違点３］について
　引用例１について、摘記事項Ｅの「収納庫管理メモリの内容を読出す場合には、最も新しく書込まれたデータから過去に先のぼって、順にデータを読出していくようにする。こうすれば、各出入れ作業が、いつ、誰によって、どのように行なわれたかを明確化することができる。」なる記載に関して、収納庫管理メモリに記憶されているデータを読出した場合、係員が該データ（電子データ）を認識できるように、電子データを、何らかの手段で出力する必要があることは言うまでもない。そして、出力手段として、ディスプレイへの表示、印字等があることは、当該技術分野における技術常識であるから、引用例１に記載されたディスプレイに、収納庫管理メモリに記憶されている電子データ（扉の開時刻データ）を表示させるようにすることは、当業者が容易に想到し得ることと認められる。
　
［相違点４］について
　表示部の表示については、上記「［相違点３］について」に記載したとおりであり、又、上記引用例４に記載されるように、メモリに記憶されたデータを読み出して、表示部に表示させる表示スイッチは公知の技術手段であるから、引用例１記載の発明において、表示部に、扉の開閉時刻データを表示させるについて、表示スイッチ部を備えるようにすることに、格別の困難性は認められない。
　
［相違点５］について
　相違点５に係る、本願発明の「扉回数記憶部にてカウントが設定回数以上となると、扉開時間記憶部の古いデータを削除する」点について検討する。
　本願明細書の【００１０】及び【図３】によれば、上記構成は具体的に、１１回目の扉開時刻データ（扉開の履歴データ）を記録し（図３のＳ６)、次に、履歴データの内、最も古いデータを消去（同Ｓ７)し、その結果、扉時間記憶部には最新の１０回分のデータが記憶されている、というものである。
　なお、明細書或いは図面には「１０回以上」と記載されているが、図３のフロー図からみて、最終的に残されるデータを１０回分とするためには、Ｓ６において記録される回数データが「１２回」になることはあり得ず、「１０回以上」とは、実質的に「１１回」であることは明らかである。
　他方、引用例１記載の発明のデータの格納方法は、所謂「先入れ先出し」（First-In First-Out）と称されるものであり、データの格納方法としては周知の技術手段である。
　ところで、履歴データを記憶部に記憶するに際し、履歴データが所定数を越えてときに、最も古いデータを削除するという記憶方法は、例えば、特開平４−３１８８６８号公報（【００５０】、【００５７】等参照）等に記載されるように、周知の技術手段である。
　即ち、本願発明における履歴データの記録方法、引用例１記載の発明における履歴データの格納方法は、どちらも周知の技術手段であって、どちらを選択するかは、当業者が適宜決定する設計事項であるから、相違点５に係る構成を採用することに格別の困難性は認められない。
　
［作用効果］について
　本願発明の奏する作用効果も、引用例１〜４に記載された発明及び周知の技術手段の奏する作用効果から、当業者が予測できる範囲のものである。
　
６　むすび
　以上のとおり、本願発明は、引用例１乃至４に記載された発明及び周知の技術手段に基づいて、当業者が容易に発明をすることができたものであるから、特許法第２９条第２項の規定により特許を受けることができない。
　よって、結論のとおり審決する。